(57)【要約】【課題】  開口部を確実に閉塞しつつも、ヒューズを着脱する作業を簡素化できるカットアウト及びカットアウトのカバー蓋を提供する。【解決手段】  本体１内にヒューズＸを装着しあるいは本体１内に装着されたヒューズＸを取り出すべく、本体１にヒューズＸを挿通させるための開口部１１が設けられるカットアウトにおいて、開口部１１を閉塞するカバー部２１を備え、カバー部２１は、一端側が本体１に対して固定されるカバー片２２を少なくとも一つ備え、カバー片２２は、ヒューズＸを挿通させる際に開口部１１を開放させるべく、他端側がヒューズＸを挿通させる方向に付勢されるのに伴って本体１に対して変位すると共に、開放された開口部１１を再び閉塞すべく、変位した他端側が前記付勢が解除されるのに伴って復元するように構成されることを特徴とする。【選択図】  図５
2009152035.tif 000002
【特許請求の範囲】
【請求項１】
本体内にヒューズを装着しあるいは本体内に装着されたヒューズを取り出すべく、本体にヒューズを挿通させるための開口部が設けられるカットアウトにおいて、開口部を閉塞するカバー部を備え、カバー部は、一端側が本体に対して固定されるカバー片を少なくとも一つ備え、カバー片は、ヒューズを挿通させる際に開口部を開放させるべく、他端側がヒューズを挿通させる方向に付勢されるのに伴って本体に対して変位すると共に、開放された開口部を再び閉塞すべく、変位した他端側が前記付勢が解除されるのに伴って復元するように構成されることを特徴とするカットアウト。
【請求項２】
カバー部は、ヒューズを挿通させる方向で複数設けられる請求項１に記載のカットアウト。
【請求項３】
カバー部は、ヒューズを挿通させる方向で一対設けられて且つ少なくとも一方が複数のカバー片を有し、他方のカバー部は、ヒューズを挿通させる方向で、一方のカバー部におけるカバー片同士間の間隙の位置に、カバー片を配置するように形成される請求項１又は２に記載のカットアウト。
【請求項４】
カットアウトの本体内にヒューズを装着しあるいは本体内に装着されたヒューズを取り出すべく、ヒューズを挿通させるために本体に設けられる開口部を、閉塞するカバー部を備えるカットアウトのカバー蓋において、カバー部は、一端側が本体に対して固定されるカバー片を少なくとも一つ備え、カバー片は、ヒューズを挿通させる際に開口部を開放させるべく、他端側がヒューズを挿通させる方向に付勢されるのに伴って本体に対して変位すると共に、開放された開口部を再び閉塞すべく、変位した他端側が前記付勢が解除されるのに伴って復元するように構成されることを特徴とするカットアウトのカバー蓋。
【発明の詳細な説明】
【技術分野】
【０００１】
本発明は、ヒューズを内部に装着可能な本体に、ヒューズを挿通させるための開口部が設けられるカットアウト、及び開口部を閉塞するカットアウトのカバー蓋に関する。
【背景技術】
【０００２】
従来、図１４に示すように、カットアウト（例えば、高圧カットアウト）において、ヒューズＸを内部に装着可能な本体１００に、ヒューズＸを挿通させるために設けられる開口部１０１を閉塞するものとして、開口部１０１に着脱可能なカバー蓋１０２（「密閉蓋」ともいう）が知られている（例えば、特許文献１）。そして、かかるカバー蓋１０２は、本体１００内部に異物が混入するのを防止するために設けられ、また、取り外した際に落下するのを防止すべく、本体１００と連結紐１０３で連結されている。
【特許文献１】特開平９−２８２９９８号公報
【発明の開示】
【発明が解決しようとする課題】
【０００３】
しかしながら、かかるカバー蓋１０２を備えるカットアウトにおいては、ヒューズＸを着脱（交換）するのに、工具の先端部やヒューズＸを開口部１０１に挿入したり、開口部１０１から取り出したりするため、開口部１０１を開放させるべく、カバー蓋１０２を着脱させる作業が必要となる。そして、かかる作業は、一般的に、間接活線操作棒といった工具を用いて行うため、非常に煩雑である。
【０００４】
よって、本発明は、かかる事情に鑑み、開口部を確実に閉塞しつつも、ヒューズを着脱する作業を簡素化できるカットアウト及びカットアウトのカバー蓋を提供することを課題とする。
【課題を解決するための手段】
【０００５】
本発明に係るカットアウトは、本体内にヒューズを装着しあるいは本体内に装着されたヒューズを取り出すべく、本体にヒューズを挿通させるための開口部が設けられるカットアウトにおいて、開口部を閉塞するカバー部を備え、カバー部は、一端側が本体に対して固定されるカバー片を少なくとも一つ備え、カバー片は、ヒューズを挿通させる際に開口部を開放させるべく、他端側がヒューズを挿通させる方向に付勢されるのに伴って本体に対して変位すると共に、開放された開口部を再び閉塞すべく、変位した他端側が前記付勢が解除されるのに伴って復元するように構成されることを特徴とする。
【０００６】
本発明によれば、ヒューズを挿通させるために本体に設けられる開口部をカバー部で閉塞する。そして、一端側が本体に対して固定されるカバー片がヒューズを挿通させる方向に付勢されるのに伴って、カバー片の他端側が本体に対して変位することにより、開口部が開放されて、ヒューズを挿通させることができる。さらに、カバー片に対する前記付勢が解除されるのに伴って、変位したカバー片の他端側が復元することにより、開放された開口部を再び閉塞することができる。したがって、本体内にヒューズを装着しあるいは本体内に装着されたヒューズを取り出す、即ち、ヒューズを着脱（交換）する際に、開口部を閉塞する部材（カバー蓋）を着脱するという煩雑な作業を無くすことができる。
【０００７】
また、本発明に係るカットアウトにおいては、カバー部は、ヒューズを挿通させる方向で複数設けられてもよい。かかる構成によれば、カバー部がヒューズを挿通させる方向で複数設けられるため、開口部を確実に閉塞することができる。例えば、開口部から気流等が侵入しようとしても、障害となるカバー部が複数設けられるため、かかる侵入を防止できる。
【０００８】
また、本発明に係るカットアウトにおいては、カバー部は、ヒューズを挿通させる方向で一対設けられて且つ少なくとも一方が複数のカバー片を有し、他方のカバー部は、ヒューズを挿通させる方向で、一方のカバー部におけるカバー片同士間の間隙の位置に、カバー片を配置するように形成されてもよい。かかる構成によれば、カバー部がヒューズを挿通させる方向で一対設けられ、ヒューズを挿通させる方向において、一方のカバー部に設けられる複数のカバー片同士間の間隙の位置に、他方のカバー部のカバー片が配置される。したがって、開口部を確実に閉塞することができ、例えば、本体の内部の密封性を向上させることもできる。
【０００９】
また、本発明に係るカットアウトのカバー蓋は、カットアウトの本体内にヒューズを装着しあるいは本体内に装着されたヒューズを取り出すべく、ヒューズを挿通させるために本体に設けられる開口部を、閉塞するカバー部を備えるカットアウトのカバー蓋において、カバー部は、一端側が本体に対して固定されるカバー片を少なくとも一つ備え、カバー片は、ヒューズを挿通させる際に開口部を開放させるべく、他端側がヒューズを挿通させる方向に付勢されるのに伴って本体に対して変位すると共に、開放された開口部を再び閉塞すべく、変位した他端側が前記付勢が解除されるのに伴って復元するように構成されることを特徴とする。
【００１０】
本発明によれば、カバー部がヒューズを挿通させるために設けられるカットアウトの本体の開口部を閉塞する。そして、一端側が本体に対して固定されるカバー片が、ヒューズを挿通させる方向に付勢されるのに伴って、カバー片の他端側が本体に対して変位することにより、開口部が開放されて、ヒューズを挿通させることができる。さらに、カバー片に対する前記付勢が解除されるのに伴って、変位したカバー片の他端側が復元することにより、開放された開口部を再び閉塞することができる。したがって、本体内にヒューズを装着しあるいは本体内に装着されたヒューズを取り出す、即ち、ヒューズを着脱（交換）する際に、開口部を閉塞する部材（カバー蓋）を着脱するという煩雑な作業を無くすことができる。
【発明の効果】
【００１１】
以上の如く、本発明に係るカットアウト及びカットアウトのカバー蓋によれば、ヒューズを着脱する際に、開口部を閉塞する部材を着脱するという煩雑な作業を無くすことができるため、開口部を確実に閉塞しつつも、ヒューズを着脱する作業を簡素化できるという優れた効果を奏する。
【発明を実施するための最良の形態】
【００１２】
以下、本発明に係るカットアウト及びカットアウトのカバー蓋における一実施形態について、図１〜図６を参酌して説明する。
【００１３】
図１及び図２に示すように、本実施形態に係るカットアウトは、本体１内にヒューズＸを装着しあるいは本体１内に装着されたヒューズＸを取り出すべく、本体１にヒューズＸを挿通させるための開口部１１が設けられる。また、カットアウトは、開口部１１を閉塞するカバー部２１，２１を備える。具体的には、カットアウトは、開口部１１を閉塞するカバー部２１，２１を有するカバー蓋２を備える。なお、カバー蓋２は、本体１に対して固定される。但し、カバー蓋２を交換可能にすべく、カバー蓋２は、本体１に対して着脱可能であってもよい。
【００１４】
本体１は、円筒状に形成される。具体的には、本体１は、下方側から内部に向けてヒューズＸを挿入可能で且つ内部から下方側に向けてヒューズＸを取り出し可能な開口部１１が下方側に設けられる。より具体的には、本体１は、筒状のヒューズＸを内部に収容する筒状の基部１２と、基部１２の下方側の端部に連結される筒状の下部１３とを備え、下部１３には、ヒューズＸを挿通させるために基部１２の内部と連通する開口部１１が設けられる。
【００１５】
また、本体１は、基部１２の上方側の端部に、上流側の電線Ｙを支持する第１電線支持部１４（「上部ストレスコーン」ともいう）が連結され、基部１２の側方部に、下流側の電線Ｙを支持する第２電線支持部１５（「下部ストレスコーン」ともいう）が連結される。そして、本体１は、絶縁性を有して形成される。具体的には、本体１は、基部１２が磁器で形成され、下部１３が剛性の合成樹脂（例えば、ポリエチレン樹脂）で形成され、第１電線支持部１４及び第２電線支持部１５が弾性の合成樹脂（例えば、ゴム）で形成される。
【００１６】
また、本実施形態に係るカットアウトのカバー蓋２は、図３及び図４に示すように、カバー部２１が、一端側が本体１に対して固定されるカバー片２２，…を複数備え、複数のカバー片２２，…が、ヒューズＸを挿通させる際に開口部１１を開放させるべく、他端側がヒューズＸを挿通させる方向に付勢されるのに伴って本体１に対して変位すると共に、開放された開口部１１を再び閉塞すべく、変位した他端側が前記付勢が解除されるのに伴って復元するように構成される。
【００１７】
そして、カバー蓋２は、カバー部２１，２１がヒューズＸを挿通させる方向で複数設けられる。具体的には、カバー蓋２は、一対の平板状のカバー部２１，２１が対向して配置され、一対のカバー部２１，２１は、それぞれ対向する外周部同士が連結される。より具体的には、カバー蓋２は、中空の円柱状、即ち、両端が閉塞される円筒状に形成され、一対の平面状の部位でカバー部２１，２１を構成する。
【００１８】
また、カバー蓋２は、カバー片２２が、少なくとも縁部がヒューズＸを挿通させる方向で他のカバー片２２，…と重なり合うように複数設けられる。具体的には、カバー蓋２は、カバー部２１，２１…が、ヒューズＸを挿通させる方向で一対設けられて且つ少なくとも一方が複数のカバー片２２，…を有し、他方のカバー部２１が、ヒューズＸを挿通させる方向で、一方のカバー部２１におけるカバー片２２，２２同士間の間隙の位置に、カバー片２２を配置するように形成される。
【００１９】
より具体的には、カバー蓋２は、筒状に形成される本体１の端部における開口部１１に対し、互いに略同形の円形状に形成される一対のカバー部２１がヒューズＸを挿通させる方向に並設され、各カバー部２１が略同形の扇形状に形成されるカバー片２２，…を開口部１１の中心軸周りに並設して形成され、一方のカバー部２１におけるカバー片２２がヒューズＸを挿通させる方向で他方のカバー部２１におけるカバー片２２，２２同士間の間隙の位置に配置され、各カバー片２２が円弧状の部位で本体１に対して固定される。
【００２０】
一対のカバー部２１，２１は、開口部１１の中心軸に直交する平板状に形成されると共に、開口部１１の中心軸から放射状の切り込みによりカバー片２２，…が形成される。具体的には、一対の円形状のカバー部２１，２１は、複数のカバー片２２，…が扇形状となるように形成される。例えば、図３及び図４においては、カバー部２１は、カバー片２２，…が八つ有するように、各カバー片２２の中心角が４５度となるような切り込みにより形成される。
【００２１】
そして、一対のカバー部２１，２１は、放射状の切り込み位置がヒューズＸを挿通させる方向で相違するように配置される。例えば、図３及び図４においては、一方のカバー部２１における切り込み位置が、開口部の中心軸で、他方のカバー部２１における切り込み位置と、扇形状のカバー片２２の中心角における略半分の角度（約２２．５度）相対変位している。なお、カバー蓋２は、弾性を有するように形成される。具体的には、カバー蓋２は、弾性を有する材質、例えば弾性の合成樹脂（ゴム）で形成される。
【００２２】
本実施形態に係るカットアウト及びカットアウトのカバー蓋２の構成は、以上の通りであり、次に、本実施形態にかかるカットアウト及びカットアウトのカバー蓋２の作用について説明する。なお、本実施形態においては、工具Ｚを用いてヒューズＸを交換（着脱）する場合について説明する。具体的には、先端部（例えば、絶縁操作棒の先端部に装着される先端工具）がヒューズＸの先端部を収容して固定可能な円筒状に形成される工具Ｚを用いる場合について説明する。
【００２３】
まず、本体１の内部に装着（収容）されるヒューズＸを本体１から取り出すのに、図５（ａ）に示すように、工具Ｚを下方側から内部に向けて開口部１１に挿入する。すると、カバー蓋２が弾性を有するように形成されるため、下方側に配置されるカバー部２１において、一端側（カバー部２１における外周部）が本体１に対して固定されるカバー片２２，…は、工具Ｚに当接されて他端側（カバー部２１における中央部）が工具Ｚを挿入する方向に（上方に向けて）付勢される。
【００２４】
さらに、上方側に配置されるカバー部２１においても同様に、一端側が本体１に対して固定されるカバー片２２，…は、下方に配置されるカバー部２１のカバー片２２に当接されて、他端側が工具Ｚを挿入する方向に付勢される。これに伴いそれぞれのカバー部２１において、カバー片２２，…の他端側（カバー部２１における中央部）が本体１に対して工具Ｚを挿入する方向に変位するため、カバー蓋２で閉塞されていた開口部１１が開放されて、工具Ｚを挿入することができる。このとき、カバー片２２，…は、一端側が湾曲して他端側が上方を向くように変形している。
【００２５】
そして、工具Ｚの円筒状の先端部にヒューズＸの先端部を収容させて固定させた後、工具Ｚと共にヒューズＸを下方に移動させる。すると、図５（ｂ）に示すように、カバー片２２，…が工具ＺやヒューズＸとの間に発生する摩擦等によりヒューズＸを取り出す方向に（下方に向けて）付勢され、カバー片２２，…の他端側が本体１に対してヒューズＸを取り出す方向に変位（変形）するため、開口部１１が開放されて、ヒューズＸを取り出すことができる。
【００２６】
そして、ヒューズＸを本体１から取り出すことにより、カバー片２２，…に対する付勢が解除される。これに伴い、図５（ｃ）に示すように、変位したカバー片２２，…の他端側が復元するため、開放された開口部１１が再び閉塞する。
【００２７】
次に、本体１の内部にヒューズＸを装着するのに、図６（ａ）に示すように、工具Ｚを介してヒューズＸを下方側から本体１の内部に向けて開口部１１に挿入する。すると、一端側が本体１に対して固定されるカバー片２２，…が、ヒューズＸを挿入させる方向に付勢されるのに伴って、カバー片２２，…の他端側が本体１に対して変位するように変形する。これにより、開口部１１が開放されて、ヒューズＸを挿入することができる。
【００２８】
そして、ヒューズＸを本体１の内部に装着し、工具ＺにおけるヒューズＸの固定を解除した後、工具Ｚを下方に移動させる。すると、図６（ｂ）に示すように、カバー片２２，…が工具Ｚを抜き出す方向に付勢される。これに伴い、カバー片２２，…の他端側が本体１に対して工具Ｚを抜き出す方向に変位するように変形する。
【００２９】
そして、工具Ｚを開口部１１から抜き出すと、カバー片２２，…に対する付勢が解除される。これに伴い、図６（ｃ）に示すように、変位したカバー片２２，…の他端側が復元するため、開放された開口部１１が再び閉塞される。したがって、本体１の内部にヒューズＸを装着することができ、ヒューズＸの交換が完了する。
【００３０】
また、カバー蓋２は、通常敷設されているときは、本体１の内部を外部から保護（隔離）すべく、本体１の開口部１１を一対のカバー部２１，２１（複数のカバー片２２，…）で閉塞する。しかも、カバー部２１，２１がヒューズＸを挿通させる方向で一対設けられ、ヒューズＸを挿通させる方向において、一方のカバー部２１に設けられる複数のカバー片２２，…同士間の間隙の位置に、他方のカバー部２１のカバー片２２，…が配置されるため、本体１における内部の密封性を高めている。
【００３１】
例えば、下方に配置されるカバー部２１におけるカバー片２２，…同士間の間隙から異物が侵入したとしても、上方の位置に配置されるカバー部２１におけるカバー片２２により、異物が本体１の内部まで侵入するのを防止する。
【００３２】
また、ヒューズＸは、溶断すると下方に変位するように動作する。かかる場合に、ヒューズＸの下端部が下方に配置されるカバー部２１から下方へ突出するような位置に、カバー蓋２が配置される。具体的には、カバー蓋２は、ヒューズＸが溶断した際に、ヒューズＸの溶断を容易に視認できるためにヒューズＸの下端部に設けられる溶断表示部（例えば、蛍光テープや夜光材反射テープ）が下方に配置されるカバー部２１から突出するように配置される。これにより、ヒューズＸが溶断すると、本体１の外部にヒューズＸの下端部が突出するため、ヒューズＸの溶断が容易に認識できる。
【００３３】
以上より、本実施形態に係るカットアウトは、一端側が本体１に対して固定されるカバー片２２，…がヒューズＸを挿通させる方向に付勢されるのに伴って、カバー片２２，…の他端側が本体１に対して変位することにより、開口部１１が開放されて、ヒューズＸを挿通させることができる。さらに、カバー片２２，…に対する前記付勢が解除されるのに伴って、変位したカバー片２２，…の他端側が復元することにより、開放された開口部１１を再び閉塞することができる。したがって、本体１内にヒューズＸを装着しあるいは本体１内に装着されたヒューズＸを取り出す際に、開口部１１を閉塞する部材を着脱するという煩雑な作業を無くすことができる。
【００３４】
また、従来においては（図１４参照）、本体１００とカバー蓋１０２とを連結させるための連結紐１０３が風等により付近の電線等といった設備に引っ掛かり、短絡や地絡といった電気事故を発生することもあるのに対して、本実施形態に係るカットアウトは、かかる連結紐１０３といった設備を取り除くことができるため、連結紐１０３により発生していた電気事故の発生を防止できる。
【００３５】
また、従来においては（図１４参照）、ヒューズＸを交換する際に、本体１００に対してカバー蓋１０２を着脱させるべく、カバー蓋１０２が本体１００から取り外しやすい構造とする必要があるため、カバー蓋１０２が風等で本体１００から外れて、本体１００の内部を開放することがあるのに対して、本実施形態に係るカットアウトは、カバー蓋２が本体１に対して固定されているため、本体１の内部を開放するのを防止できる。したがって、本体１の内部が汚染されるのを防止でき、さらには、短絡等の電気事故が発生するのも防止できる。
【００３６】
また、本実施形態に係るカットアウトは、カバー部２１，２１がヒューズＸを挿通させる方向で複数（一対）設けられるため、開口部１１を確実に閉塞することができ、本体１内部の密封性を向上させることもできる。
【００３７】
なお、本発明に係るカットアウト及びカットアウトのカバー蓋は、上記した実施の形態に限定されるものではなく、本発明の要旨を逸脱しない範囲内において種々変更を加え得ることは勿論である。
【００３８】
例えば、上記実施形態に係るカットアウトにおいては、本体１が下方の端部に開口部１１を備える場合を説明したが、かかる場合に限られず、本体が上方又は側方に開口部を備える場合でもよい。
【００３９】
また、上記実施形態に係るカットアウトにおいては、本体１が円筒状に形成される場合を説明したが、かかる場合に限られない。例えば、本体は、角筒状や箱状に形成されていてもよい。
【００４０】
また、上記実施形態に係るカットアウトは、カバー蓋２を一つ備える場合を説明したが、かかる場合に限られず、カバー蓋２を複数備える場合でもよい。
【００４１】
また、上記実施形態に係るカットアウトは、カバー蓋２（カバー部２１、カバー片２２）が弾性を有する場合を説明したが、かかる場合に限られず、カバー蓋（カバー部、カバー片）が全部又は一部が剛性を有する場合でもよい。
【００４２】
例えば、カットアウトは、図７に示すように、全体が剛性を有するように形成されるカバー部３１を備えてもよい。具体的には、開口部１１を閉塞するかかるカバー部３１を有するカバー蓋３は、一端側が本体１に対して固定されるカバー片３２，…を複数備え、複数のカバー片３２，…は、ヒューズＸを挿通させる際に開口部１１を開放させるべく、他端側がヒューズＸを挿通させる方向に付勢されるのに伴って本体１に対して変位すると共に、開放された開口部１１を再び閉塞すべく、変位した他端側が前記付勢が解除されるのに伴って復元するように構成される。
【００４３】
カバー片３２は、一端側が本体１（下部１４）に枢着されて回動可能に構成される。また、カバー片３２は、他端側が開口部１１を閉塞する位置より下方に向けて回動するのを規制される。具体的には、カバー片３２は、一端側（一端側の下面）が本体１（下部１４におけるカバー片３２の一端側を収容する収容部１５）と当接することにより、他端側が開口部１１を閉塞する位置より下方に向けて回動するのを規制される。
【００４４】
より具体的には、カバー片３２は、開口部１１を閉塞する位置より上方で付勢されない状態では、自重により他端側が下方に向けて回動すると共に、開口部１１を閉塞する位置で下方に向けて回動するのを規制される。また、カバー片３２は、略鉛直となる位置（他端側が一端側の略真上の位置）で本体１の内部に当接することにより、他端側が上方に向けて回動するのを規制されるように構成される。したがって、カバー片３２は、略鉛直となる位置から略水平となる位置まで約９０度回動可能に構成される。なお、カバー片３２は、ヒューズＸを円滑に挿通させるべく、他端側が湾曲して形成される。
【００４５】
そして、かかるカバー蓋３を備えるカットアウトにおいて、ヒューズＸを取り出すのに、図８（ａ）に示すように、工具Ｚを開口部１１に挿入する。すると、カバー片３２，…は、工具Ｚに付勢されるのに伴って一端側を軸に回動することにより、他端側が本体１に対して変位する。そして、図８（ｂ）に示すように、工具Ｚと共にヒューズＸを下方に移動すると、カバー片３２，…の他端側は、工具Ｚの表面やヒューズＸの表面に沿って、即ち、工具Ｚの表面やヒューズＸの表面に摺動して変位する。さらに、ヒューズＸが本体１の内部から取り出されると、図８（ｃ）に示すように、カバー片３２，…に対する付勢が解除されるため、カバー片３２，…が自重により復元し、開放された開口部１１が再び閉塞される。
【００４６】
次に、ヒューズＸを装着するのに、図９（ａ）に示すように、ヒューズＸを開口部１１に挿入する。すると、カバー片３２，…は、ヒューズＸに付勢されるのに伴って一端側を軸に回動することにより、他端側が本体１に対して変位する。そして、ヒューズＸを本体１に装着した後、図９（ｂ）に示すように、工具Ｚを下方に向けて移動すると、カバー片３２，…の他端側は、工具Ｚの表面に沿って、即ち、工具Ｚの表面に摺動して変位する。さらに、工具Ｚを本体１の内部から抜き出すと、図９（ｃ）に示すように、カバー片３２，…に対する付勢が解除されるため、カバー片３２，…が自重により復元し、開放された開口部１１が再び閉塞される。このようにして、ヒューズＸを交換することができる。
【００４７】
また、上記実施形態におけるカットアウトは、カバー蓋２が本体１に固定される場合を説明したが、かかる場合に限られず、図１０に示すように、カバー蓋２，４が本体１００に着脱可能な場合でもよい。例えば、図１０（ａ）に示すように、カバー蓋４は、開口部１０１を閉塞するカバー部４１と、本体１００と固定するための固定部４２とを備えてもよい。具体的には、カバー蓋４は、開口部１０１と嵌合可能な固定部４２を備えてもよい。
【００４８】
また、図１０（ｂ）に示すように、カバー蓋２は、固定部材５を介して、本体１００に着脱されてもよい。具体的には、固定部材５は、本体１００の開口部１０１に固定するための固定部５１を備えてもよい。具体的には、固定部材５は、螺子と、螺子と螺合可能な孔部とを備え、螺子を孔部に螺合させることにより、本体１００と圧着可能な固定部５１を備えてもよい。また、かかる固定部材５は、ヒューズＸを挿通させるべく、本体１００内部及び開口部１０１と連通すべく筒状に形成され、カバー蓋２を内部に固定する。
【００４９】
また、上記実施形態に係るカバー蓋２は、一対のカバー部２１，２１を備え、カバー片２２，…の全体が重なり合うように配置される場合を説明したが、かかる場合に限られず、カバー片６２，…は、ヒューズＸを挿通させる方向で縁部が互いに重なり合って配置されてもよい。例えば、図１１及び図１２に示すように、カバー蓋６は、一対のカバー部６１を備え、カバー片６２，…は、ヒューズＸを挿通させる方向で縁部が互いに重なり合うと共に、接触するようにして配置されてもよい。
【００５０】
また、上記実施形態に係るカバー蓋２は、二つ（一対）のカバー部２１，２１を備える場合を説明したが、かかる場合に限られず、カバー蓋は、一つ又は三つ以上のカバー部を備える場合でもよい。したがって、例えば、一つのカバー部は、複数のカバー片を備え、複数のカバー片は、ヒューズＸを挿通させる方向で縁部が互いに重なり合って配置されてもよく、さらに、縁部が互いに接触するようにして配置されてもよい。
【００５１】
また、上記実施形態に係るカバー蓋２は、対向する一対のカバー部２１，２１が外周部同士で連結される場合を説明したが、かかる場合に限られず、図１３に示すように、カバー蓋７が、カバー部７１，７２を備える一対のカバー蓋部材７３，７４を対向して配置させる場合でもよい。
【００５２】
かかるカバー蓋７は、一方のカバー蓋部材７３に凸部７５，７５を備え、他方のカバー蓋部材７４に凸部７５，７５に対応する凹部７６，７６を備える。これにより、一方のカバー蓋部材７３の外周部に設けられる凸部７５と、他方のカバー蓋部材７４の外周部に設けられる凹部７６とを嵌合させると、他方のカバー部７２は、ヒューズＸを挿通させる方向で、一方のカバー部７１におけるカバー片７７，…同士間の間隙の位置に、カバー片７８，…を配置するように位置決めされる。
【００５３】
また、上記実施形態に係るカバー蓋２は、カバー部２１がカバー片２２，…を複数備える場合を説明したが、かかる場合に限られず、カバー部がカバー片を一つ備える場合でもよく、二つ以上備える場合でもよい
【００５４】
また、上記実施形態に係るカバー蓋２は、カバー部２１の全体がカバー片２２，…で構成される場合を説明したが、かかる場合に限られず、カバー部の少なくとも一部がカバー片で構成されてもよい。要するに、ヒューズＸや工具Ｚが挿通可能となるようにカバー片を備えて構成されていればよい。
【図面の簡単な説明】
【００５５】
【図１】本発明の一実施形態に係るカットアウトの全体図であって、正面図を示す。
【図２】同実施形態に係るカットアウトの全体図であって、図１のＡ−Ａ線における断面図を示す。
【図３】同実施形態に係るカットアウトのカバー蓋の全体図であって、（ａ）は正面図、（ｂ）はＢ−Ｂ線における断面図を示す。
【図４】同実施形態に係るカットアウトのカバー蓋の全体図であって、（ａ）は平面図、（ｂ）は底面図を示す。
【図５】同実施形態に係るカットアウトの要部断面図であって、ヒューズを取り出す過程において、（ａ）は工具を挿入するとき、（ｂ）はヒューズを取り出すとき、（ｃ）はヒューズの取り出しが完了したときを示す。
【図６】同実施形態に係るカットアウトの要部断面図であって、ヒューズを装着する過程において、（ａ）はヒューズを挿入するとき、（ｂ）は工具を抜き出すとき、（ｃ）はヒューズの装着が完了したときを示す。
【図７】本発明の他の実施形態に係るカットアウトの全体図であって、断面図を示す。
【図８】同実施形態に係るカットアウトの要部断面図であって、ヒューズを取り出す過程において、（ａ）は工具を挿入するとき、（ｂ）はヒューズを取り出すとき、（ｃ）はヒューズの取り出しが完了したときを示す。
【図９】同実施形態に係るカットアウトの要部断面図であって、ヒューズを装着する過程において、（ａ）はヒューズを挿入するとき、（ｂ）は工具を抜き出すとき、（ｃ）はヒューズの装着が完了したときを示す。
【図１０】本発明のさらに他の実施形態に係るカットアウトのカバー蓋の全体図であって、（ａ）及び（ｂ）は、それぞれ本体（要部断面図）に固定される状態の断面図を示す。
【図１１】本発明のさらに他の実施形態に係るカットアウトのカバー蓋の全体図であって、（ａ）は平面図、（ｂ）は側面図を示す。
【図１２】同実施形態に係るカットアウトのカバー蓋の全体図であって、（ａ）は図１１のＣ−Ｃ線における断面図、（ｂ）は図１１のＤ−Ｄ線における断面図、（ｃ）は図１１のＥ−Ｅ線における断面図を示す。
【図１３】本発明のさらに他の実施形態に係るカットアウトのカバー蓋の全体図であって、斜視図を示す。
【図１４】従来におけるカットアウトの全体図であって、断面図を示す。
【符号の説明】
【００５６】
１…本体、２…カバー蓋、１１…開口部、２１…カバー部、２２…カバー片、Ｘ…ヒューズ
【図１】
2009152035.tif 000003
【図２】
2009152035.tif 000004
【図３】
2009152035.tif 000005
【図４】
2009152035.tif 000006
【図５】
2009152035.tif 000007
【図６】
2009152035.tif 000008
【図７】
2009152035.tif 000009
【図８】
2009152035.tif 000010
【図９】
2009152035.tif 000011
【図１０】
2009152035.tif 000012
【図１１】
2009152035.tif 000013
【図１２】
2009152035.tif 000014
【図１３】
2009152035.tif 000015
【図１４】
2009152035.tif 000016